(57)【要約】【課題】デジタルインターフェースにより接続された電子機器との接続が切断されたとき、レジュームが行えるようにした映像音声再生装置及び映像音声再生方法を提供する。【解決手段】ＨＤ ＤＶＤドライブ２４によるＨＤ（High Definition） ＤＶＤ規格のＨＤ ＤＶＤ２３の再生信号は、デコーダ２０でデコードされた後、ＨＤＭＩ（High Definition Multimedia Interface）を介して映像音声再生装置１から、ケーブル２を介してＴＶ３へ伝送される。ＤＶＤ２３を再生中にＴＶ３の電源がオフにされるなどした場合、ＭＰＵ１４は、その時点のＨＤ ＤＶＤ２３の再生停止のトラック情報及び該トラック情報に対応するブックマークをメモリ１５に保存し、レジュームを可能にする。【選択図】図２
2008159176.tif 000002
【特許請求の範囲】
【請求項１】
ＨＤ（High Definition） ＤＶＤ規格のＤＶＤを再生可能なＨＤ ＤＶＤドライブと、
前記ＨＤ ＤＶＤドライブによるＨＤ ＤＶＤの再生信号を他の電子機器へ伝送するデジタルインターフェースと、
前記ＤＶＤの再生中に前記デジタルインターフェースによる前記他の電子機器との接続が断たれたとき、その時点の前記ＤＶＤの再生停止に関する情報及び該情報に対応するブックマークをＨＤ ＤＶＤ規格にあるブックマーク機能を利用して記憶部に保存する制御部とを備えたことを特徴とする映像音声再生装置。
【請求項２】
前記制御部は、電源がオフにされたとき、前記再生停止に関する情報及び該情報に対応するブックマークを不揮発性メモリに保存することを特徴とする請求項１に記載の映像音声再生装置。
【請求項３】
前記制御部は、前記他の電子機器との接続復旧後、前記ブックマークの存在を確認したとき、前記ブックマークの使用の有無をユーザーに問い合わせる表示を表示部に行わせることを特徴とする請求項１に記載の映像音声再生装置。
【請求項４】
前記制御部は、前記他の電子機器との接続復旧後、前記ブックマーク用いて前記再生停止位置からの再生を実行することを特徴とする請求項１に記載の映像音声再生装置。
【請求項５】
前記デジタルインターフェースは、前記ＨＤ ＤＶＤドライブによるＨＤ ＤＶＤの再生信号を他の電子機器へＨＤＭＩ（High Definition Multimedia Interface）を介して伝送することを特徴とする請求項１に記載の映像音声再生装置。
【請求項６】
デジタルインターフェースを介して他の電子機器へＤＶＤの再生信号を伝送しているときに、前記他の電子機器に対する接続状態を検出する第１のステップと、
前記第１のステップにおいて前記デジタルインターフェースの接続が断たれたことを検出したとき、その時点の前記ＤＶＤの再生停止に関する情報を保存する第２のステップを含むことを特徴とする映像音声再生方法。
【請求項７】
前記第２のステップは、前記ＤＶＤがＨＤ（High Definition） ＤＶＤであるとき、ＨＤ ＤＶＤ規格が有するブックマーク機能を利用して前記再生停止に関する情報及び該情報に対応するブックマークを保存することを特徴とする請求項６に記載の映像音声再生方法。
【請求項８】
前記第１のステップは、前記デジタルインターフェースとしてＨＤＭＩを介して他の電子機器へＤＶＤの再生信号を伝送することを特徴とする請求項６に記載の映像音声再生方法。
【発明の詳細な説明】
【技術分野】
【０００１】
本発明は、ＤＶＤ（Digital Versatile Disc）を再生して得られた映像・音声データをデジタルインターフェースにより表示装置などの電子機器へ伝送する映像音声再生装置及び映像音声再生方法に関する。
【背景技術】
【０００２】
テレビ放送のデジタル化が本格化し、これに対応したデジタル放送受像機（ＴＶ）やＤＶＤレコーダ、ＨＤＤ（ハードディスク）レコーダ、ＤＶＤプレーヤなどが市販されている。また、近年、青色レーザを用いて書き込み及び読み出しが可能なＨＤ ＤＶＤ（High Definition Digital Versatile Disc）が開発され、このＨＤ ＤＶＤに対応したＨＤ ＤＶＤプレーヤなども市販されている。一般に、ＨＤＤやＤＶＤのプレーヤは、再生中の再生位置を記録し、その後に再生位置から再生が行えるようにしたブックマーク（book mark）機能を備えている（例えば、特許文献１，２参照）。
【０００３】
デジタルＴＶやパーソナルコンピュータに上記したレコーダ、プレーヤなどを接続する場合、一般に、高速なインターフェースであるＵＳＢ（Universal Serial Bus）やＩＥＥＥ１３９４などのインターフェースを介して接続している。
【０００４】
しかし、最近では、ＡＶ家電を対象にしたＨＤＭＩ（High Definition Multimedia Interface、HDMI Licensing：登録商標）が発表されており、このＨＤＭＩは、将来、ＨＤＤやＤＶＤのレコーダ／プレーヤとデジタルＴＶとを接続するデジタルインターフェースの主流になると予想される。ＨＤＭＩは、映像信号と音声信号の伝送を１本のケーブルで行えると共に、解像度やアスペクトの情報、著作権の相互認証信号、電源のオン／オフなどの電子機器間の制御信号などを伝送できるという特徴がある。
【特許文献１】特開２００６−１３９３５号公報
【特許文献２】特開２００４−２７４２８７号公報
【発明の開示】
【発明が解決しようとする課題】
【０００５】
しかし、従来の映像音声再生装置によると、ブックマーク機能は、ユーザーが手動によりブックマークを生成するものであるため、デジタルＴＶの電源がオフになるなどしてディスプレイ側との接続が断たれた場合、停止位置が映像音声再生装置には記憶されないためにレジュームが行えず、ユーザーは手動により最初から再生を行うか、巻き戻し／早送りなどをしながら停止位置を検出しなければならず、使い勝手が悪かった。
【０００６】
ＨＤＭＩによって映像音声再生装置とディスプレイなどの装置が接続されている場合、接続情報がＨＤＭＩによりモニタリングされており、デジタルＴＶが電源オフにされるとＨＤ ＤＶＤの再生を停止するようになっているが、停止位置の情報は記憶していない。このため、ＨＤＭＩ等のデジタルインターフェースを用いた場合でも、やはりレジュームが行えない。
【０００７】
従って、本発明の目的は、デジタルインターフェースにより接続された電子機器との接続が断たれたとき、レジュームが行えるようにした映像音声再生装置及び映像音声再生方法を提供する。
【課題を解決するための手段】
【０００８】
（１）本発明は上記目的を達成するため、ＨＤ（High Definition） ＤＶＤ規格のＤＶＤを再生可能なＨＤ ＤＶＤドライブと、前記ＨＤ ＤＶＤドライブによるＨＤ ＤＶＤの再生信号を他の電子機器へ伝送するデジタルインターフェースと、前記ＤＶＤの再生中に前記デジタルインターフェースによる前記他の電子機器との接続が断たれたとき、その時点の前記ＤＶＤの再生停止に関する情報及び該情報に対応するブックマークをＨＤ ＤＶＤ規格にあるブックマーク機能を利用して記憶部に保存する制御部とを備えたことを特徴とする映像音声再生装置を提供する。
【０００９】
このような構成によれば、デジタルインターフェースによる他の電子機器との接続が断たれたとき、再生中であったＨＤ ＤＶＤの再生停止に関する情報がＨＤ ＤＶＤ規格にあるブックマーク機能を用いて記憶され、これによりレジュームを可能にすることができる。
【００１０】
（２）また、本発明は上記目的を達成するため、デジタルインターフェースを介して他の電子機器へＤＶＤの再生信号を伝送しているときに、前記他の電子機器に対する接続状態を検出する第１のステップと、前記第１のステップにおいて前記デジタルインターフェースの接続が断たれたことを検出したとき、その時点の前記ＤＶＤの再生停止に関する情報を保存する第２のステップを含むことを特徴とする映像音声再生方法を提供する。
【００１１】
このような方法によれば、デジタルインターフェースによる他の電子機器との接続が断たたれたことが検出されたとき、再生中であったＤＶＤの再生停止に関する情報が記憶され、これによりレジュームを可能にすることができる。
【発明の効果】
【００１２】
本発明の映像音声再生装置及び映像音声再生方法によれば、デジタルインターフェースにより接続された電子機器の接続が切断されたとき、レジュームが行え、再生停止位置からの再生続行を可能にすることができる。
【発明を実施するための最良の形態】
【００１３】
以下に、本発明の実施の形態を、図面を参照して詳細に説明する。
【００１４】
（映像音声再生システムの構成）
図１は、本発明の実施の形態に係る映像音声再生システムを示す。この映像音声再生システム１０は、記録媒体であるＨＤ（High Definition） ＤＶＤの再生が可能な映像音声再生装置１と、１本のケーブル２により映像音声再生装置１に接続された放送受像機（ＴＶ）３と、映像音声再生装置１更にはＴＶ３の遠隔操作が可能なリモートコントローラ（リモコン）４を備えて構成されている。
【００１５】
映像音声再生装置１は、動作状態などを表示するモニタ（液晶ディスプレイ）１１、電源スイッチ１２などが正面パネルに設けられている。また、映像音声再生装置１は、記憶媒体としてのハードディスクドライブ及びＨＤ ＤＶＤドライブを搭載している。なお、映像音声再生装置１は、デジタル放送などを受信するチューナを備える場合もある。
【００１６】
ケーブル２は、ＨＤＭＩ端子に接続可能な専用のＨＤＭＩケーブルであり、１６ピンのコネクタピンを有するコネクタが両端に取り付けられている。
【００１７】
ＴＶ３は、単独でハイビジョンなどの放送を視聴することができると共に、複数のＨＤＭＩ入力端子を備え、映像音声再生装置１だけでなく、図示しないパーソナルコンピュータなどの接続も可能になっている。
【００１８】
（映像音声再生装置の内部構成）
図２は、映像音声再生装置１のブロック図を示す。映像音声再生装置１は、バス１３（データバス、コントロールバス及びアドレスを含む）に接続されたＭＰＵ（Micro Processing Unit）１４を制御部にして構成されている。ＭＰＵ１４には、半導体メモリによるＲＯＭ、ＲＡＭ、及びブックマーク情報などを保存する不揮発性メモリからなるメモリ１５と、画像データなどを保存するＨＤＤ１６が接続されている。
【００１９】
バス１３には、再生出力を処理するデータプロセッサ１７、データプロセッサ１７に接続されたトラックバッファ１８、トラックバッファ１８に接続されたＰＳ（Program Stream）デマルチプレクサ１９、ＰＳデマルチプレクサ１９に接続されたデコーダ２０、デコーダ２０及びＴＶ３に接続されるＨＤＭＩ部２１、リモコン４からの赤外線信号を受信する受信部２２、及びモニタ１１に表示を行う表示制御部２５が接続されている。データプロセッサ１７には、ＨＤ ＤＶＤ２３を再生した信号をデータプロセッサ１７へ出力するＨＤ ＤＶＤドライブ２４が接続されている。
【００２０】
データプロセッサ１７は、ＤＶＤドライブ２４からの出力信号を処理してＤＶＤに関する信号をトラックバッファ１８へ出力する構成を有する。
【００２１】
トラックバッファ１８は、データプロセッサ１７からのストリームデータの所定量のデータをＰＳデマルチプレクサ１９へ出力する構成を有する。
【００２２】
ＰＳデマルチプレクサ１９は、トラックバッファ１８からのデータを、オーディオ信号とビデオ信号とに分けてデコーダ２０へ出力するように構成されている。
【００２３】
デコーダ２０は、ＰＳデマルチプレクサ１９からのオーディオ信号をデコードするオーディオデコーダ２０ａと、ＰＳデマルチプレクサ１９からのビデオ信号をデコードするビデオデコーダ２０ｂとを備え、デコードしたそれぞれの信号をＨＤＭＩ部２１へ出力する構成を有する。
【００２４】
ＨＤＭＩ部２１は、デコーダ２０からのオーディオデータ及びビデオデコーダを、ＴＭＤＳ（Transaction Minimized Differential Signaling）データ、±ＴＭＤＳクロック、ＣＥＣ（Consumer Electronics Control）、ＳＣＬ（Serial Clock）、ＳＤＡ（Serial Data）、ＤＤＣ（Display data channel）などの信号伝送、ホットプラグ検出信号の受信などを行う構成を有している。
【００２５】
受信部２２は、リモコン４からの赤外線信号を受信及びデコードしてバス１３へ出力する構成を有している。
【００２６】
ＨＤ ＤＶＤドライブ２４は、読出専用、追記型、書換型の各メディアによるＨＤ ＤＶＤの使用に加えて、既存のＤＶＤも利用できるように構成されている。
【００２７】
（映像音声再生装置の動作）
図３は、映像音声再生装置１の再生停止までの処理を示す。
【００２８】
ここで、映像音声再生装置１及びＴＶ３の電源がオンにされ、更に、ＨＤ ＤＶＤ２３がＨＤ ＤＶＤドライブ２４に装填されたことにより、ＨＤ ＤＶＤ２３の再生が行われ、更にＨＤ ＤＶＤ２３の再生画像がＴＶ３に表示されているものとする。このとき、ＭＰＵ１４は、所定時間ごと或いは所定のタンミングによりＨＤＭＩ部２１の接続状態をポーリングしている（Ｓ１０１）。
【００２９】
ＨＤ ＤＶＤ２３の再生が行われているときに、ＴＶ３の電源がオフにされるなどして、ＨＤＭＩ部２１とＴＶ３との接続が断たれたとき（Ｓ１０１：Ｙｅｓ）、ＭＰＵ１４は、ＨＤ ＤＶＤ規格で定義されている「ＡＰＩ(Application Program Interface) Ｐｌａｙｅｒ．ｂｏｏｋｍａｒｋ．ｓａｖｅ（）」をコールする。これにより、現在、映像音声再生装置１によって再生中のＨＤ ＤＶＤ２３のタイトル情報（タイトル番号）、再生時間（経過時間）、オーディオ・サブタイトルなどの再生停止に関する情報をトラック情報として取得し（Ｓ１０２）このトラック情報をＨＤＤ１６に保存する（Ｓ１０３）。また、トラック情報に対するブックマーク情報をブックマークとしてメモリ１５のＲＡＭに保存する（Ｓ１０４）。その後、ＭＰＵ１４は、ＨＤ ＤＶＤドライブ２４の動作を停止させる（Ｓ１０５）。
【００３０】
上記Ｓ１０５においてＨＤ ＤＶＤ２３の再生を停止させた後、ユーザーによって電源スイッチ１２が押され、映像音声再生装置１の電源がＯＦＦにされた場合（Ｓ１０６：Ｙｅｓ）、メモリ１５内のＲＡＭに保存したブックマーク情報をメモリ１５内の不揮発メモリヘコピーする（Ｓ１０７）。この処理によって、電源再投入後にも指定したブックマーク位置からの再生が可能になる。
【００３１】
図４は、図３に示したＨＤ ＤＶＤの再生の中止からＨＤＭＩの接続復旧に伴う再生再開までの処理を示す。また、図５は、再生再開時にモニタ１１またはＴＶ３のディスプレイに表示される画面の一例を示す。
【００３２】
上記Ｓ１０１におけるＨＤＭＩの切断後、ＴＶ３の電源がオンにされて、ＴＶ３と映像音声再生装置１との間のＨＤＭＩの接続が復旧すると（Ｓ２０１：Ｙｅｓ）、ＭＰＵ１４は、「ＡＰＩ Ｐｌａｙｅｒ． ｂｏｏｋｍａｒｋ ｊｕｍｐ（）」をコールする。ＡＰＩがコールされることで、切断されたタイトルの再生時間から再生を再開できる。
【００３３】
ＨＤＭＩの接続再開後（Ｓ２０１：Ｙｅｓ）、ＭＰＵ１４は、ブックマークの有無をチェックする（Ｓ２０２）。ＨＤＭＩの接続は確認できたがブックマークが存在しないとき（Ｓ２０１：Ｙｅｓ、Ｓ２０２：Ｎｏ）、ＨＤ ＤＶＤ２３を最初から再生するモードに設定する（Ｓ２０３）。
【００３４】
また、ブックマークの存在を確認できたとき（Ｓ２０２：Ｙｅｓ）、例えば、ＨＤ ＤＶＤ２３の最初の画像が表示された後、ブックマークが存在することを、図５に示すようなメッセージ１１ａをモニタ１１に表示し（Ｓ２０４）、ユーザーにブックマークを使用して再生を行うか否かを促す。
【００３５】
ユーザーが、図５の画面上の「Ｙｅｓ」に該当するキーをリモコン４によって選択すると（Ｓ２０５：Ｙｅｓ）、ＭＰＵ１４は、ブックマーク情報を読み出し（Ｓ２０６）、ついでタイトル情報（タイトル番号）及びトラック情報を順次読み出し（Ｓ２０７，Ｓ２０８）、更に経過時間をジャンプし（Ｓ２０９）、図３のＳ１０５で再生停止した位置にＨＤ ＤＶＤ２３を設定する（Ｓ２１０）。これにより、レジュームが可能になる。
【００３６】
（第１の実施の形態の効果）
上記した本発明の第１の実施の形態によると、下記の効果を奏する。
（１）映像音声再生装置１とＴＶ３の間のＨＤＭＩの接続が断たれたときでも、ブックマークを保存できるため、ＨＤＭＩの接続復旧後に再生中断位置からＤＶＤの再生を開始することができる。
特に、ＨＤ ＤＶＤでは、レガシーＤＶＤとは異なり、Ａｄｖａｎｃｅｄ Ｃｏｎｔｅｎｔｓと呼ばれるアプリケーションを使用したコンテンツが存在する。その中に、ＨＤ ＤＶＤプレーヤの再生位置などを記憶させるブックマーク機能が存在し、このブックマーク機能を利用することにより、ＨＤＭＩが断たれたとき、再生を中断した位置をブックマーク情報として記憶させることができる。ＨＤＭＩの接続復旧後、記憶しておいたブックマーク情報により、中断した位置からの再生が可能になる。
（２）図５に示すように、記憶したブックマークを使用するかを否かの情報をモニタ１１またはＴＶ３に表示することで、ユーザーは前回の停止位置から再生させるか、ＤＶＤの最初から再生するかを選択することが可能となり、ユーザー選択の自由度を上げることができる。
【００３７】
上記実施の形態においては、映像音声再生装置１はＨＤ ＤＶＤプレーヤであるとしたが、ブックマークに関する情報は、電子機器内に保持することが可能であるので、ＨＤ ＤＶＤプレーヤに限定されるものではない。
【００３８】
また、記録媒体に書き込み可能なディスクを用いている場合、記録媒体にブックマーク情報を記録することにより、他の電子機器でディスクを再生した場合でも、再生を停止した位置からの再生開始が可能になる。
【００３９】
また、ＨＤ ＤＶＤやＤＶＤをＨＤ ＤＶＤドライブ２４から抜き取る操作が行われた場合、ブックマーク及びこれに対応する情報を映像音声再生装置１から消去する構成にすることもできる。
【００４０】
また、上記実施の形態においては、ＨＤＭＩによる映像音声再生装置１の接続先がＴＶ３であるとしたが、本発明はＴＶ３に限定されるものではなく、ＴＶ３を含め、ＨＤＭＩで接続する構成の電子機器に広く適用可能である。また、デジタルインターフェースはＨＤＭＩに限定されるものではなく、接続先の情報を取得できるインターフェースであれば規格は問わない。
【００４１】
［他の実施の形態］
なお、本発明は、上記各実施の形態に限定されず、本発明の技術思想を逸脱あるいは変更しない範囲内で種々な変形が可能である。
【図面の簡単な説明】
【００４２】
【図１】本発明の第１の実施の形態に係る映像音声再生システムを示す図である。
【図２】映像音声再生装置のブロック図である。
【図３】映像音声再生装置の再生停止までの処理を示すフローチャートである。
【図４】図３に示した再生の中止からＨＤＭＩの接続復旧に伴う再生再開までの処理を示すフローチャートである。
【図５】再生再開時にモニタまたはＴＶに表示される画面例を示す画面図である。
【符号の説明】
【００４３】
１…映像音声再生装置、２…ケーブル、３…ＴＶ、４…リモコン、１０…映像音声再生システム、１１…モニタ、１１ａ…メッセージ、１２…電源スイッチ、１３…バス、１４…ＭＰＵ、１５…メモリ、１６…ＨＤＤ、１７…データプロセッサ、１８…トラックバッファ、１９…ＰＳデマルチプレクサ、１９ａ…オーディオデコーダ、１９ｂ…ビデオデコーダ、２０…デコーダ、２０Ａ…オーディオデコーダ、２０Ｂ…ビデオデコーダ、２１…ＨＤＭＩ部、２２…受信部、２３…ＨＤ  ＤＶＤ、２４…ＨＤ  ＤＶＤドライブ、２５…表示制御部
【図１】
2008159176.tif 000003
【図２】
2008159176.tif 000004
【図３】
2008159176.tif 000005
【図４】
2008159176.tif 000006
【図５】
2008159176.tif 000007